(57)【要約】【課題】発熱面の発熱効率を低下させる不具合を防止すること。【解決手段】印刷位置と待機位置との間には、加熱ユニット１６の発熱面３０ａを清掃するための清掃ユニット３８が固設されている。清掃ユニット３８は、印刷位置側に設けられる第１ワイパ３９ａと、待機位置側に設けられる第２ワイパ３９ｂとを有している。また、第１ワイパ３９ａと第２ワイパ３９ｂとの間には、発熱面３０ａを加湿させるための加湿ユニット４１が設けられるとともに、加湿ユニット４１によって発熱面３０ａを加湿させる。そして、弾性部材からなるワイパ部材３９ｃと発熱面３０ａとを摺接させるとともに、加熱ユニット１６が移動することにより、発熱面３０ａをワイピングする。【選択図】図３
2009214423.tif 000002
【特許請求の範囲】
【請求項１】
液体噴射ヘッドを介して液体が噴射された記録媒体を加熱して乾燥させる非接触式の加
熱手段を備えた液体噴射装置であって、
前記液体の噴射によって浮遊するミストが前記加熱手段の発熱面に付着してなる液体塵
を除去し、前記発熱面を清掃する清掃手段を備えたことを特徴とする液体噴射装置。
【請求項２】
前記清掃手段には、前記発熱面を加湿させる加湿手段が設けられている請求項１に記載
の液体噴射装置。
【請求項３】
前記清掃手段は、前記液体噴射ヘッドが前記液体を噴射して前記記録媒体への記録を開
始する際に清掃を行うことを特徴とする請求項１又は請求項２に記載の液体噴射装置。
【請求項４】
前記清掃手段は、前記液体噴射ヘッドが前記液体の噴射を停止して前記記録媒体への記
録を終了した後に清掃を行うことを特徴とする請求項１又は請求項２に記載の液体噴射装
置。
【請求項５】
前記加湿手段は、表面に洗浄液が塗布された状態で前記発熱面を摺接移動する加湿ロー
ラからなる請求項２〜請求項４のうちいずれか一項に記載の液体噴射装置。
【請求項６】
前記加湿手段は、気化させたもしくは霧状にした洗浄液を前記発熱面に供給する蒸気供
給装置からなる請求項２〜請求項４のうちいずれか一項に記載の液体噴射装置。
【請求項７】
前記液体噴射ヘッドを、前記記録媒体に対して前記液体を噴射する液体噴射位置と該液
体噴射位置から離間した待機位置との間で移動させる移動機構を備え、
前記加熱手段は、前記液体噴射ヘッドと一体移動可能に構成されており、
前記清掃手段は、前記液体噴射ヘッドと一体移動する前記加熱手段の移動経路上に配置
されており、前記液体噴射ヘッドが前記液体噴射位置と前記待機位置との間を移動してい
る時に清掃を行うことを特徴とする請求項１〜請求項６のうちいずれか一項に記載の液体
噴射装置。
【請求項８】
前記液体噴射ヘッドを、前記記録媒体に対して前記液体を噴射する液体噴射位置と該液
体噴射位置から離間した待機位置との間で移動させる移動機構を備え、
前記加熱手段は、前記液体噴射ヘッドと一体移動可能に構成されており、
前記清掃手段は、前記液体噴射ヘッドと一体移動する前記加熱手段の移動経路上に配置
されており、前記液体噴射ヘッドが前記待機位置に待機している時に清掃を行うことを特
徴とする請求項１〜請求項６のうちいずれか一項に記載の液体噴射装置。
【発明の詳細な説明】
【技術分野】
【０００１】
本発明は、液体噴射装置に関する。
【背景技術】
【０００２】
一般に、液体噴射装置の一種であるインクジェット記録装置は、インク（液体）を噴射
するノズルが設けられた記録ヘッド（液体噴射ヘッド）を備え、ノズルから記録媒体に対
してインクを噴射することで印刷が行われる（例えば、特許文献１参照）。特許文献１に
記載のインクジェット記録装置は、記録媒体の記録面に噴射されたインクを乾燥させて記
録面上に定着させる必要があるため、記録媒体が搬送される搬送路における記録ヘッドよ
り下流側には、記録媒体の記録面を加熱するためのハロゲンヒータが設けられている。こ
のハロゲンヒータによって、記録媒体の記録面側を非接触加熱するとともに、記録面を加
熱することによって記録面上に噴射されたインクを効率的に乾燥させることができる。
【特許文献１】特開２００３−７２０５９号公報
【発明の開示】
【発明が解決しようとする課題】
【０００３】
ところで、特許文献１のインクジェット記録装置には、ハロゲンヒータと搬送路との間
を仕切る加熱部遮蔽部材（耐熱部材）が設けられており、記録媒体がハロゲンヒータ側に
入り込むことで発火することを防止している。しかしながら、記録媒体の記録面にインク
が噴射されると、大量のインクミストが発生してしまい、浮遊するインクミストが加熱部
遮蔽部材の発熱面に付着して乾燥し、張り付くことによってハロゲンヒータからの発熱効
率が低下してしまう虞があった。
【０００４】
本発明の目的は、発熱面の発熱効率を低下させる不具合を防止することにある。
【課題を解決するための手段】
【０００５】
上記目的を達成するために、本発明の液体噴射装置は、液体噴射ヘッドを介して液体が
噴射された記録媒体を加熱して乾燥させる非接触式の加熱手段を備えた液体噴射装置であ
って、前記液体の噴射によって浮遊するミストが前記加熱手段の発熱面に付着してなる液
体塵を除去し、前記発熱面を清掃する清掃手段を備えたことを要旨とする。
【０００６】
この発明によれば、発熱面を清掃する清掃手段を設けることにより、記録媒体に液体を
噴射することで発生するミストが発熱面に液体塵として付着しても、清掃手段によって発
熱面をクリーニングすることで液体塵を除去することができる。よって、発熱面の発熱効
率を低下させる不具合を防止することができる。
【０００７】
本発明の液体噴射装置において、前記清掃手段には、前記発熱面を加湿させる加湿手段
が設けられていることを要旨とする。
この発明によれば、清掃手段に発熱面を加湿させる加湿手段を設けることにより、発熱
面に付着し乾燥した液体塵を湿らすことができ、発熱面に付着した液体塵を除去しやすく
することができる。
【０００８】
本発明の液体噴射装置において、前記清掃手段は、前記液体噴射ヘッドが前記液体を噴
射して前記記録媒体への記録を開始する際に清掃を行うことを要旨とする。
この発明によれば、液体噴射ヘッドが記録媒体に記録を開始する際に発熱面を清掃する
ことで、発熱面に液体塵が付着していない状態で記録媒体を加熱し、乾燥させることがで
きる。
【０００９】
本発明の液体噴射装置において、前記清掃手段は、前記液体噴射ヘッドが前記液体の噴
射を停止して前記記録媒体への記録を終了した後に清掃を行うことを要旨とする。
この発明によれば、液体噴射ヘッドが液体の噴射を停止して記録媒体への記録を終了し
た後に清掃を行うことで、発熱面に付着した液体塵が乾燥し張り付く前に発熱面を清掃す
ることができる。
【００１０】
本発明の液体噴射装置において、前記加湿手段は、表面に洗浄液が塗布された状態で前
記発熱面を摺接移動する加湿ローラからなることを要旨とする。
この発明によれば、簡単な構成にて発熱面全体を加湿させることができる。
【００１１】
本発明の液体噴射装置において、気化させたもしくは霧状にした洗浄液を前記発熱面に
供給する蒸気供給装置からなることを要旨とする。
この発明によれば、蒸気供給装置によって、発熱面に直接摺接することなく発熱面全体
を加湿させることができる。
【００１２】
本発明の液体噴射装置において、前記液体噴射ヘッドを、前記記録媒体に対して前記液
体を噴射する液体噴射位置と該液体噴射位置から離間した待機位置との間で移動させる移
動機構を備え、前記加熱手段は、前記液体噴射ヘッドと一体移動可能に構成されており、
前記清掃手段は、前記液体噴射ヘッドと一体移動する前記加熱手段の移動経路上に配置さ
れており、前記液体噴射ヘッドが前記液体噴射位置と前記待機位置との間を移動している
時に清掃を行うことを要旨とする。
【００１３】
この発明によれば、加熱手段が液体噴射位置と待機位置との間を移動する度に、清掃手
段によって発熱面を清掃することができる。
本発明の液体噴射装置において、前記液体噴射ヘッドを、前記記録媒体に対して前記液
体を噴射する液体噴射位置と該液体噴射位置から離間した待機位置との間で移動させる移
動機構を備え、前記加熱手段は、前記液体噴射ヘッドと一体移動可能に構成されており、
前記清掃手段は、前記液体噴射ヘッドと一体移動する前記加熱手段の移動経路上に配置さ
れており、前記液体噴射ヘッドが前記待機位置に待機している時に清掃を行うことを要旨
とする。
【００１４】
この発明によれば、加熱手段が待機位置で待機しているときに、清掃手段によって発熱
面を何度も清掃することができる。
【発明を実施するための最良の形態】
【００１５】
（第１の実施形態）
以下、本発明の液体噴射装置をプリンタに具体化した第１の実施形態を図１〜図４にし
たがって説明する。
【００１６】
図１に示すように、液体噴射装置としてのインクジェット式プリンタ（以下、単に「プ
リンタ」という）１１は、搬送ユニット１２と、給紙ユニット１３と、記録ユニット１４
と、排紙ユニット１５と、加熱ユニット１６とを有している。搬送ユニット１２には支持
台１７が設けられるとともに、この支持台１７を囲むように駆動ローラ１８、従動ローラ
１９、及びテンションローラ２０が配設されている。駆動ローラ１８、従動ローラ１９、
及びテンションローラ２０には無端状の搬送ベルト２１が掛装されるとともに、駆動ロー
ラ１８と従動ローラ１９との間において、搬送ベルト２１は支持台１７により下方から水
平に支持されている。そして、搬送ベルト２１によって記録媒体としての用紙Ｐが搬送方
向（図１における矢印Ｘの示す方向）へ搬送されるようになっている。
【００１７】
搬送ユニット１２には、用紙Ｐを給紙ユニット１３から搬送ベルト２１へ送り出す際に
駆動されるゲートローラ対２２が設けられている。また、搬送ユニット１２において、従
動ローラ１９の上方には、用紙Ｐを搬送ベルト２１上に抑え付ける抑えローラ２３が設け
られている。さらに、搬送ユニット１２には、搬送ベルト２１から排紙ユニット１５へ用
紙Ｐを排紙する排紙ローラ対２４が設けられている。
【００１８】
記録ユニット１４は、支持台１７の上方に設けられている。記録ユニット１４には、用
紙Ｐの搬送方向と交差する方向（搬送ベルト２１の幅方向）に延びるライン状の液体噴射
ヘッドとしての記録ヘッド２５が４つ設けられるとともに、各記録ヘッド２５にはそれぞ
れ異なる色のインクを貯留するインクカートリッジ２６がインクチューブ２７を介して接
続されている。また、加熱ユニット１６は、用紙Ｐの搬送方向において、記録ユニット１
４の下流側に設けられるとともに、この加熱ユニット１６によって、記録ヘッド２５から
用紙Ｐの記録面に吐出されたインクを乾燥させるようになっている。
【００１９】
加熱ユニット１６は、用紙Ｐに吐出されたインクを乾燥させるためのハロゲンヒータ２
８と、該ハロゲンヒータ２８を両側から挟みこむように設けられた断熱材２９とを有して
いる。断熱材２９は、記録ヘッド２５とハロゲンヒータ２８との間に設けられる第１断熱
材２９ａと、ハロゲンヒータ２８を挟んで第１断熱材２９ａとは逆側に設けられた第２断
熱材２９ｂとで構成されている。また、ハロゲンヒータ２８には、該ハロゲンヒータ２８
と搬送ベルト２１との間を仕切るための耐熱ガラス３０が設けられている。耐熱ガラス３
０は、ハロゲンヒータ２８から発熱される熱を用紙Ｐに向かって発熱する発熱面３０ａを
有している。発熱面３０ａは、矩形状をしているとともに、発熱面３０ａにおける搬送ベ
ルト２１の幅方向が長手方向となっている。すなわち、加熱ユニット１６は、ハロゲンヒ
ータ２８、断熱材２９及び発熱面３０ａを有した耐熱ガラス３０とから構成され、加熱手
段を構成している。
【００２０】
図２に示すように、記録ヘッド２５及び加熱ユニット１６は一体的に構成されるととも
に、ヘッドユニット３１（図２において二点鎖線で示す）を構成する。ヘッドユニット３
１は、記録ヘッド２５が用紙Ｐへインクを吐出して印刷を行う印刷位置３２（図２（ａ）
に示すヘッドユニット３１の位置）と、印刷終了時などの印刷を行わないときに記録ヘッ
ド２５のノズル形成面にキャップ部材（図示略）を当接させて待機させる待機位置３３（
図２（ｂ）に示すヘッドユニット３１の位置）とに移動可能である。ここで言う印刷位置
３２とは、用紙Ｐに対してインクを噴射する液体噴射位置のことである。また、この印刷
位置３２から離間した待機位置３３に移動した記録ヘッド２５は、ノズル形成面がキャッ
プ部材によってノズル開口を囲うようにキャップされ、記録ヘッド２５内のインクの乾燥
が防止される。
【００２１】
ヘッドユニット３１の両側には、搬送ベルト２１の幅方向にガイドレール３４がヘッド
ユニット３１を挟むように延設されている。ガイドレール３４内の一方の端側及び他方の
端側には、従動プーリ３５ａ及び駆動プーリ３５ｂが設けられているとともに、駆動プー
リ３５ｂには、駆動モータ３６が接続されている。従動プーリ３５ａ及び駆動プーリ３５
ｂには、無端状のチェーン３７が掛装されるとともに、チェーン３７は、駆動モータ３６
から駆動プーリ３５ｂに伝達される動力によって駆動プーリ３５ｂが回転することにより
、搬送ベルト２１の幅方向へ往復運動可能である。ヘッドユニット３１は、該ヘッドユニ
ット３１からチェーン３７に向かって突出された突出部３１ａとチェーン３７とが係止さ
れることによって、印刷位置３２と待機位置３３との間をガイドレール３４に沿って往復
移動可能になっている。よって、ガイドレール３４、従動プーリ３５ａ、駆動プーリ３５
ｂ、駆動モータ３６及びチェーン３７は、ヘッドユニット３１を印刷位置３２と待機位置
３３との間を移動可能にする移動機構を構成する。
【００２２】
また、印刷位置３２と待機位置３３との間には、耐熱ガラス３０の発熱面３０ａを清掃
するための清掃手段としての清掃ユニット３８が固設されている。清掃ユニット３８は、
記録ヘッド２５と印刷位置３２から待機位置３３へ一体移動する加熱ユニット１６の移動
経路上に配置されており、発熱面３０ａが清掃ユニット３８上を通過するように設けられ
ている。清掃ユニット３８は、印刷位置３２側に設けられる第１ワイパ３９ａと、待機位
置３３側に設けられる第２ワイパ３９ｂとを有している。第１ワイパ３９ａ及び第２ワイ
パ３９ｂは、弾性部材からなる。また、第１ワイパ３９ａ及び第２ワイパ３９ｂは、清掃
ユニット３８に設けられる図示しない支持部によって上下方向に移動可能に支持されてい
る。なお、第１ワイパ３９ａ及び第２ワイパ３９ｂにおける発熱面３０ａの長手方向と直
交する方向の幅は、発熱面３０ａの長手方向と直交する方向の幅よりも大きい幅を有して
いる。そして、第１ワイパ３９ａと第２ワイパ３９ｂとの間には、発熱面３０ａを加湿さ
せるための加湿手段としての加湿ユニット４１が設けられている。
【００２３】
図３に示すように、加湿ユニット４１には、上面のみ開放されてなるケース４２内に洗
浄液Ｑが貯留されているとともに、ケース４２内には図示しない支持部によって支持され
た回転軸４３ａを有する加湿ローラ４３が回転可能に設けられている。加湿ローラ４３は
、樹脂製のローラの表面にケース４２内に貯留されている洗浄液Ｑが塗布された状態で発
熱面３０ａを摺接移動し、発熱面３０ａを加湿させる。なお、加湿ローラ４３における発
熱面３０ａの長手方向と直交する方向の幅は、発熱面３０ａの長手方向と直交する方向の
幅よりも大きい幅を有している。また、ケース４２の外下壁面４２ａには、清掃ユニット
３８の図示しない固定部に固定された固定板４４と当接される圧縮ばね４５が介在されて
いる。
【００２４】
次に、清掃ユニット３８の作用について説明する。例えば、図３（ａ）に示すように、
加熱ユニット１６が待機位置３３側から印刷位置３２側の方向（図３（ａ）における矢印
Ｍ１の方向）へ移動する場合（記録ヘッド２５がインクを噴射して用紙Ｐへの記録を開始
するために記録ヘッド２５が印刷位置３２側へ移動する場合）、加湿ローラ４３が発熱面
３０ａの一方の端Ｌと当接する。よって、加湿ローラ４３は、反時計方向へ回転するとと
もに、加熱ユニット１６によって下方に押圧される。押圧された加湿ローラ４３は、圧縮
ばね４５の付勢力によって加熱ユニット１６に向かって押し上げる力が作用する。さらに
、加熱ユニット１６が矢印Ｍ１の方向へ移動するとともに、加湿ローラ４３も加熱ユニッ
ト１６に向かって押圧する適度な圧力を維持しながら回転し、発熱面３０ａを加湿させる
。
【００２５】
また、発熱面３０ａが加湿ローラ４３によって加湿され始めると、第１ワイパ３９ａは
、図示しない支持部によって上方（図３（ａ）における矢印Ｙ１の方向）に移動する。第
１ワイパ３９ａの先端は加熱ユニット１６の下面（発熱面３０ａ）が移動する経路の軌跡
Ｌ１よりも高さＨ分だけ高くなるように第１ワイパ３９ａを上方へ移動させるようになっ
ている。そして、加熱ユニット１６の下面（発熱面３０ａ）が移動する経路の軌跡Ｌ１よ
りも高さＨ分だけ高く延在された第１ワイパ３９ａのワイピング部３９１と発熱面３０ａ
の一方の端Ｌとが当接する。すると、図３（ｂ）に示すように、第１ワイパ３９ａのワイ
パ部材３９ｃが加熱ユニット１６の搬送力によって加熱ユニット１６の移動方向へ屈曲す
る。さらに、加熱ユニット１６が矢印Ｍ１の方向へ移動するとともに、弾性力を持ったワ
イパ部材３９ｃが加熱ユニット１６の移動方向とは逆の方向へ戻ろうとする力が作用し、
発熱面３０ａに対して適度な圧力を持って摺接し、ワイピング部３９１によって発熱面３
０ａの一方の端Ｌから他方の端Ｒまでワイピングされる。そして、発熱面３０ａがワイピ
ングされた加熱ユニット１６は、矢印Ｍ１の方向へ移動するとともに、印刷位置３２まで
移動する。また、発熱面３０ａをワイピングした第１ワイパ３９ａは、下方へ移動し元の
位置（発熱面３０ａをワイピングするために上方へ移動する前の位置）で待機する。
【００２６】
一方、印刷が終了すると、加熱ユニット１６は、図４（ａ）に示すように、印刷位置３
２から待機位置３３側の方向（図４における矢印Ｍ２の方向）へ移動する。そして、加湿
ローラ４３が発熱面３０ａの他方の端Ｒと当接することによって加湿ローラ４３は、時計
方向へ回転するとともに、加熱ユニット１６によって下方に押圧される。押圧された加湿
ローラ４３は、圧縮ばね４５の付勢力によって加熱ユニット１６に向かって押し上げる力
が作用する。さらに、加熱ユニット１６が矢印Ｍ２の方向へ移動するとともに、加湿ロー
ラ４３も加熱ユニット１６に向かって押圧する適度な圧力を維持しながら回転し、加湿ロ
ーラ４３は発熱面３０ａを加湿させる。
【００２７】
また、発熱面３０ａが加湿ローラ４３によって加湿され始めると、第２ワイパ３９ｂは
、図示しない支持部によって上方（図４（ａ）における矢印Ｙ２の方向）に移動する。第
２ワイパ３９ｂの先端は加熱ユニット１６の下面（発熱面３０ａ）が移動する経路の軌跡
Ｌ２よりも高さＨ分だけ高くなるように第２ワイパ３９ｂを上方へ移動させるようになっ
ている。そして、加熱ユニット１６の下面（発熱面３０ａ）が移動する経路の軌跡Ｌ２よ
りも高さＨ分だけ高く延在された第２ワイパ３９ｂのワイピング部３９２と発熱面３０ａ
の他方の端Ｒとが当接する。すると、図４（ｂ）に示すように、第２ワイパ３９ｂのワイ
パ部材３９ｃが加熱ユニット１６の搬送力によって加熱ユニット１６の移動方向へ屈曲す
る。さらに、加熱ユニット１６が矢印Ｍ２の方向へ移動するとともに、弾性力を持ったワ
イパ部材３９ｃが加熱ユニット１６の移動方向とは逆の方向へ戻ろうとする力が作用し、
発熱面３０ａに対して適度な圧力を持って摺接し、ワイピング部３９２によって発熱面３
０ａの他方の端Ｒから一方の端Ｌまでワイピングされる。そして、発熱面３０ａがワイピ
ングされた加熱ユニット１６は、矢印Ｍ２の方向へ移動するとともに、待機位置３３まで
移動する。また、発熱面３０ａをワイピングした第２ワイパ３９ｂは、下方へ移動し元の
位置（発熱面３０ａをワイピングするために上方へ移動する前の位置）で待機する。
【００２８】
第１の実施形態では以下の効果を得ることができる。
（１）プリンタ１１に、発熱面３０ａを清掃するための清掃ユニット３８を設けること
により、用紙Ｐにインクを吐出することで発生するインクミストが発熱面３０ａに付着し
ても、清掃ユニット３８によって除去することができる。よって、浮遊するインクミスト
が発熱面３０ａに付着して発熱面３０ａの発熱効率を低下させる不具合を防止することが
できる。
【００２９】
（２）清掃ユニット３８に、発熱面３０ａを加湿させる加湿ユニット４１を設けること
により、発熱面３０ａに付着し乾燥したインクミスト（液体塵）を湿らすことができ、発
熱面３０ａに付着したインクミストを除去しやすくすることができる。
【００３０】
（３）清掃ユニット３８は、記録ヘッド２５がインクを噴射して用紙Ｐへの記録を開始
するために記録ヘッド２５が待機位置３３側から印刷位置３２側へ移動する際に、発熱面
３０ａを清掃する。よって、記録ヘッド２５が用紙Ｐに記録を開始する際に発熱面３０ａ
を清掃することで、発熱面３０ａにインクミストが付着していない状態で用紙Ｐを加熱し
、乾燥させることができる。
【００３１】
（４）清掃ユニット３８は、記録ヘッド２５がインクの噴射を停止して用紙Ｐへの記録
を終了した後に発熱面３０ａを清掃する。よって、記録ヘッド２５がインクの噴射を停止
して用紙Ｐへの記録を終了した後に清掃を行うことで、発熱面３０ａに付着したインクミ
ストが乾燥し張り付く前に発熱面３０ａを清掃することができる。
【００３２】
（５）加湿ユニット４１は、樹脂製のローラの表面に洗浄液Ｑが塗布された状態で発熱
面３０ａを摺接移動する加湿ローラ４３からなり、清掃ユニット３８は、加湿ローラ４３
と、発熱面３０ａをワイピングする第１ワイパ３９ａ及び第２ワイパ３９ｂとから構成さ
れている。よって、簡単な構成にて発熱面３０ａ全体を加湿させることができ、また、簡
単な構成にて発熱面３０ａを適切な払拭力を確保してワイピングすることができる。
【００３３】
（６）加熱ユニット１６は、記録ヘッド２５と一体移動可能に構成されており、清掃ユ
ニット３８は、記録ヘッド２５と一体移動する加熱ユニット１６の移動経路上に配置され
ており、記録ヘッド２５が印刷位置３２と待機位置３３との間を移動している時に清掃を
行う。よって、加熱ユニット１６が印刷位置３２と待機位置３３との間を移動する度に、
清掃ユニット３８によって発熱面３０ａを清掃することができる。
【００３４】
（第２の実施形態）
次に、本発明の第２の実施形態について、図５を用いて説明する。なお、図５において
、第１の実施形態の図１〜図４に付した符号と同一符号を付した部分は同一又は相当部分
を示し、その重複する説明を省略する。
【００３５】
図５に示すように、清掃ユニット５０に設けられる第１ワイパ３９ａと第２ワイパ３９
ｂとの間には、発熱面３０ａを加湿させるための加湿手段としての蒸気供給装置５１が設
けられている。蒸気供給装置５１には、洗浄液Ｑを貯留するためのタンク５２が設けられ
ているとともに、タンク５２内には、洗浄液Ｑの水位を量るための水位センサＳ１が設け
られている。タンク５２内には、洗浄液Ｑを吸引するためのポンプ５６が設けられている
配管５３が挿入されている。配管５３の一方の端側は、タンク５２の底面５２ａ近傍まで
延在するように挿入されるとともに、洗浄液Ｑを吸引口５３ａから吸引するようになって
いる。配管５３の他方の端側には、ポンプ５６によって吸引された洗浄液Ｑを滴下させる
ための排出口５３ｂが形成されている。よって、タンク５２とケース５４とは、配管５３
によって連通している。
【００３６】
また、蒸気供給装置５１には、上面が開放されてなる金属製のケース５４が設けられて
いるとともに、ケース５４の外下壁面５４ａには、発熱体５５が固設されている。発熱体
５５には、温度センサＳ２が設置されるとともに、図示しない熱源部材によって温められ
た発熱体５５の温度を検知し、その検知情報を図示しない制御装置に送ることで、制御装
置が発熱体５５を適温に維持させるよう熱源部材の温度を制御している。
【００３７】
次に、清掃ユニット５０の作用について説明する。例えば、図５（ａ）に示すように、
加熱ユニット１６が待機位置３３側から印刷位置３２側の方向（図５における矢印Ｍ１の
方向）へ移動する場合、まず、加熱ユニット１６が矢印Ｍ１の方向へ移動する。また、ポ
ンプ５６によって吸引された洗浄液Ｑは、吸引口５３ａを介して、配管５３を通過し、配
管５３の排出口５３ｂからケース５４の底面５４ｂに向かって滴下され、発熱体５５によ
って気化される。そして、気化させた洗浄液Ｑを発熱面３０ａに供給することで発熱面３
０ａを加湿させる。なお、ケース５４の上面の開口部における発熱面３０ａの長手方向と
直交する方向の幅は、発熱面３０ａの長手方向と直交する方向の幅よりも大きい幅、もし
くは同一幅を有している。
【００３８】
また、発熱面３０ａが発熱体５５によって気化された洗浄液Ｑによって加湿され始める
と、第１ワイパ３９ａは、図示しない支持部によって上方（図５（ａ）における矢印Ｙ１
の方向）に移動する。第１ワイパ３９ａの先端は加熱ユニット１６の下面（発熱面３０ａ
）が移動する経路の軌跡Ｌ１よりも高さＨ分だけ高くなるように第１ワイパ３９ａを上方
へ移動させるようになっている。そして、加熱ユニット１６の下面（発熱面３０ａ）が移
動する経路の軌跡Ｌ１よりも高さＨ分だけ高く延在された第１ワイパ３９ａのワイピング
部３９１と発熱面３０ａの一方の端Ｌとが当接する。すると、図５（ｂ）に示すように、
第１ワイパ３９ａのワイパ部材３９ｃが加熱ユニット１６の搬送力によって加熱ユニット
１６の移動方向へ屈曲する。さらに、加熱ユニット１６が矢印Ｍ１の方向へ移動するとと
もに、弾性力を持ったワイパ部材３９ｃが加熱ユニット１６の移動方向とは逆の方向へ戻
ろうとする力が作用し、発熱面３０ａに対して適度な圧力を持って摺接し、ワイピング部
３９１によって発熱面３０ａの一方の端Ｌから他方の端Ｒまでワイピングされる。そして
、発熱面３０ａがワイピングされた加熱ユニット１６は、矢印Ｍ１の方向へ移動するとと
もに、印刷位置３２まで移動する。また、発熱面３０ａをワイピングした第１ワイパ３９
ａは、下方へ移動し元の位置（発熱面３０ａをワイピングするために上方へ移動する前の
位置）で待機する。
【００３９】
一方、印刷が終了すると、図５とは逆に、加熱ユニット１６は、印刷位置３２から待機
位置３３側の方向へ移動する。そして、蒸気供給装置５１によって、清掃ユニット５０上
を通過する発熱面３０ａを加湿させる。また、発熱面３０ａが発熱体５５によって気化さ
れた洗浄液Ｑによって加湿され始めると、第２ワイパ３９ｂは、図示しない支持部によっ
て上方に移動する。第２ワイパ３９ｂの先端は、第１ワイパ３９ａと同様に、加熱ユニッ
ト１６の下面（発熱面３０ａ）が移動する経路の軌跡Ｌ１よりも高さＨ分だけ高くなるよ
うに第２ワイパ３９ｂを上方へ移動させるようになっている。そして、加熱ユニット１６
の下面（発熱面３０ａ）が移動する経路の軌跡よりも高さＨ分だけ高く延在された第２ワ
イパ３９ｂのワイピング部３９２（第１の実施形態と同一）と発熱面３０ａの一方の端Ｌ
とが当接する。すると、第２ワイパ３９ｂのワイパ部材３９ｃが加熱ユニット１６の搬送
力によって加熱ユニット１６の移動方向へ屈曲する。さらに、加熱ユニット１６が印刷位
置３２側から待機位置３３側の方向へ移動するとともに、弾性力を持ったワイパ部材３９
ｃが加熱ユニット１６の移動方向とは逆の方向へ戻ろうとする力が作用し、発熱面３０ａ
に対して適度な圧力を持って摺接し、ワイピング部３９２によって発熱面３０ａの一方の
端Ｌから他方の端Ｒまでワイピングされる。そして、発熱面３０ａがワイピングされた加
熱ユニット１６は、印刷位置３２側から待機位置３３側の方向へ移動するとともに、待機
位置３３まで移動する。また、発熱面３０ａをワイピングした第２ワイパ３９ｂは、下方
へ移動し元の位置（発熱面３０ａをワイピングするために上方へ移動する前の位置）で待
機する。
【００４０】
第２の実施形態では、第１の実施形態の（１）〜（４）及び（６）に対応する効果を得
ることができるとともに、以下の効果を得ることができる。
（７）清掃ユニット５０は、気化させた洗浄液Ｑを発熱面３０ａに吹き付ける蒸気供給
装置５１と、発熱面３０ａをワイピングするワイパ部材とから構成されている。よって、
蒸気供給装置５１によって、発熱面３０ａに直接摺接することなく発熱面３０ａ全体を加
湿させることができ、また、簡単な構成にて発熱面３０ａを適切な払拭力を確保してワイ
ピングすることができる。
【００４１】
（第３の実施形態）
次に、本発明の第３の実施形態について、図６を用いて説明する。なお、図６において
、第１の実施形態の図１〜図４に付した符号と同一符号を付した部分は同一又は相当部分
を示し、その重複する説明を省略する。図６は、加熱ユニット１６が待機位置３３に待機
している状態を示している。
【００４２】
図６に示すように、待機位置３３には、発熱面３０ａを清掃するための清掃ユニット６
０が設けられているとともに、清掃ユニット６０には、発熱面３０ａを加湿させるための
加湿ユニット６１が設けられている。加湿ユニット６１は、第１の実施形態で用いたケー
ス４２、回転軸４３ａ、加湿ローラ４３及び洗浄液Ｑを有している。
【００４３】
ケース４２の外下壁面４２ａには、柱状のキャリッジ６２が固設されるとともに、キャ
リッジ６２と直交する方向（発熱面３０ａと平行な方向）にはキャリッジ軸６３が延設さ
れている。キャリッジ６２には、キャリッジ軸６３が挿通可能な挿通孔が形成されるとと
もに、キャリッジ軸６３は、キャリッジ６２の挿通孔を貫通するように設けられており、
キャリッジ軸６３とキャリッジ６２の挿通孔との接する面は摺動可能になっている。
【００４４】
また、待機位置３３には、キャリッジ６２を発熱面３０ａと平行な方向へ往復運動させ
るための往復移動機構６４が設けられている。往復移動機構６４は、従動ローラ６５及び
駆動ローラ６６を有し、駆動ローラ６６には駆動モータ６７が接続されている。従動ロー
ラ６５及び駆動ローラ６６には無端状の歯付ベルト６８が掛装されるとともに、駆動モー
タ６７からの駆動力によって、駆動ローラ６６が回転することで、歯付ベルト６８を発熱
面３０ａと平行な方向へ往復運動させる。そして、キャリッジ６２の下面６２ａと歯付ベ
ルト６８が歯合することでキャリッジ６２は、発熱面３０ａと平行な方向へ往復運動する
。すなわち、清掃ユニット６０は、発熱面３０ａと平行な方向へ往復運動する。
【００４５】
例えば、図６（ａ）に示すように、加熱ユニット１６が待機位置３３に待機している場
合、まず、図示しない昇降機構によって往復移動機構６４を加熱ユニット１６に向かって
上方に移動させ、加湿ローラ４３が発熱面３０ａの一方の端Ｌに当接するようにする。次
に、第１ワイパ３９ａを図示しない支持部によって、第１ワイパ３９ａの先端が加熱ユニ
ット１６の下面（発熱面３０ａ）よりも高さＨ分だけ高くなるように第１ワイパ３９ａを
上方（図６（ａ）における矢印Ｙ１の方向）へ移動させる。そして、往復移動機構６４に
よって、キャリッジ６２を発熱面３０ａの一方の端Ｌ側から他方の端Ｒ側に向かって移動
させることで、加湿ローラ４３が発熱面３０ａに対して適度な圧力を維持しながら回転移
動し、発熱面３０ａが加湿される。
【００４６】
さらに、加熱ユニット１６の下面（発熱面３０ａ）よりも高さＨ分だけ高く延在された
第１ワイパ３９ａのワイピング部３９１と発熱面３０ａの一方の端Ｌとが当接する。する
と、図６（ｂ）に示すように、第１ワイパ３９ａのワイパ部材３９ｃがキャリッジ６２の
移動する力によってキャリッジ６２の移動方向とは逆の方向へ屈曲する。さらに、キャリ
ッジ６２が発熱面３０ａと平行な方向へ移動するとともに、弾性力を持ったワイパ部材３
９ｃがキャリッジ６２の移動方向へ戻ろうとする力が作用し、発熱面３０ａに対して適度
な圧力を持って摺接し、ワイピング部３９１によって発熱面３０ａの一方の端Ｌから他方
の端Ｒまでワイピングされる。
【００４７】
一方、第１ワイパ３９ａが発熱面３０ａの一方の端Ｌから他方の端Ｒまでワイピングし
終わると、第１ワイパ３９ａは、下方へ移動し元の位置（発熱面３０ａをワイピングする
ために上方へ移動する前の位置）で待機する。そして、第２ワイパ３９ｂを図示しない支
持部によって、第２ワイパ３９ｂの先端が加熱ユニット１６の下面（発熱面３０ａ）より
も高さＨ分だけ高くなるように第２ワイパ３９ｂを上方へ移動させる。そして、往復移動
機構６４によって、キャリッジ６２を発熱面３０ａの他方の端Ｒ側から一方の端Ｌ側に向
かって移動させることで、加湿ローラ４３が発熱面３０ａに対して適度な圧力を維持しな
がら回転移動し、発熱面３０ａが加湿される。
【００４８】
さらに、加熱ユニット１６の下面（発熱面３０ａ）よりも高さＨ分だけ高く延在された
第２ワイパ３９ｂのワイピング部３９２（第１の実施形態と同一）と発熱面３０ａの他方
の端Ｒとが当接する。すると、第２ワイパ３９ｂのワイパ部材３９ｃがキャリッジ６２の
移動する力によってキャリッジ６２の移動方向とは逆の方向へ屈曲する。さらに、キャリ
ッジ６２が発熱面３０ａと平行な方向へ移動するとともに、弾性力を持ったワイパ部材３
９ｃがキャリッジ６２の移動方向へ戻ろうとする力が作用し、発熱面３０ａに対して適度
な圧力を持って摺接し、ワイピング部３９２によって発熱面３０ａの他方の端Ｒから一方
の端Ｌまでワイピングされる。
【００４９】
本実施形態では、加熱ユニット１６が待機位置３３に待機しているときに、キャリッジ
６２が発熱面３０ａと平行な方向へ往復移動することで、発熱面３０ａを清掃ユニット６
０によって何度もワイピングするようになっている。
【００５０】
第３の実施形態では、第１の実施形態の（１）〜（５）に対応する効果を得ることがで
きるとともに、以下の効果を得ることができる。
（８）加熱ユニット１６は、記録ヘッド２５と一体移動可能に構成されており、清掃ユ
ニット６０は、記録ヘッド２５と一体移動する加熱ユニット１６の移動経路上に配置され
ており、記録ヘッド２５が待機位置３３に待機している時に清掃を行う。よって、加熱ユ
ニット１６が待機位置３３で待機している時に、清掃ユニット６０によって発熱面３０ａ
を何度も清掃することができる。
【００５１】
（第４の実施形態）
次に、本発明の第４の実施形態について、図７を用いて説明する。なお、図７において
、第１の実施形態の図１〜図４に付した符号と同一符号を付した部分は同一又は相当部分
を示し、その重複する説明を省略する。図７は、加熱ユニット１６が待機位置３３に待機
している状態を示している。
【００５２】
図７に示すように、待機位置３３には、発熱面３０ａを清掃するための清掃ユニット８
０が設けられているとともに、清掃ユニット８０には、発熱面３０ａを加湿させるための
加湿手段としての蒸気供給装置８１が設けられている。蒸気供給装置８１には、洗浄液Ｑ
が貯留されているタンク８２が設けられているとともに、タンク８２には、洗浄液Ｑを吸
引するためのポンプ８６が設けられている配管８３が接続されている。配管８３の一方の
端は、タンク８２に接続されているとともに、配管８３の他方の端は、ポンプ８６によっ
て吸引された洗浄液Ｑを気化させるための発熱体８４と接続されている。なお、発熱体８
４における発熱面３０ａの長手方向の幅は、発熱面３０ａの長手方向の幅よりも大きい幅
、もしくは同一幅を有している。また、発熱体８４における発熱面３０ａの長手方向と直
交する方向の幅は、発熱面３０ａの長手方向と直交する方向の幅よりも大きい幅、もしく
は同一幅を有している。
【００５３】
また、清掃ユニット８０には、第１ワイパ３９ａ及び第２ワイパ３９ｂが設けられてい
るとともに、第１ワイパ３９ａ及び第２ワイパ３９ｂは、清掃ユニット８０に設けられる
図示しない支持部によって上下方向に移動可能に支持されている。さらに、第１ワイパ３
９ａ及び第２ワイパ３９ｂは、第３実施形態で述べた往復移動機構６４によって発熱面３
０ａと平行な方向へ往復運動する。
【００５４】
例えば、図７（ａ）に示すように、加熱ユニット１６が待機位置３３に待機している場
合、まず、図示しない昇降機構によって蒸気供給装置８１が発熱面３０ａに向かって上方
に移動する。そして、タンク８２からポンプ８６によって吸引された洗浄液Ｑを発熱体８
４によって気化させるとともに、気化させた洗浄液Ｑを発熱面３０ａに吹き付けることで
、発熱面３０ａを加湿させる。蒸気供給装置８１は、発熱面３０ａを加湿し終えると、下
方へ移動し、元の位置（発熱面３０ａを加湿するために上方へ移動する前の位置）で待機
する。
【００５５】
そして、第３の実施形態と同様に、図示しない昇降機構によって往復移動機構６４を加
熱ユニット１６に向かって上方に移動させ、第１ワイパ３９ａの先端が加熱ユニット１６
の下面（発熱面３０ａ）よりも高さＨ分だけ高くなるように第１ワイパ３９ａを上方へ移
動させる。さらに、加熱ユニット１６の下面（発熱面３０ａ）よりも高さＨ分だけ高く延
在された第１ワイパ３９ａのワイピング部３９１と発熱面３０ａの一方の端Ｌとが当接す
る。すると、図７（ｂ）に示すように、第１ワイパ３９ａのワイパ部材３９ｃがキャリッ
ジ６２の移動する力によってキャリッジ６２の移動方向とは逆の方向へ屈曲する。さらに
、キャリッジ６２が発熱面３０ａと平行な方向へ移動するとともに、弾性力を持ったワイ
パ部材３９ｃがキャリッジ６２の移動する方向へ戻ろうとする力が作用し、発熱面３０ａ
に対して適度な圧力を持って摺接し、ワイピング部３９１によって発熱面３０ａの一方の
端Ｌから他方の端Ｒまでワイピングされる。
【００５６】
一方、第１ワイパ３９ａが発熱面３０ａの一方の端Ｌから他方の端Ｒまでワイピングし
終わると、第１ワイパ３９ａは、下方へ移動し元の位置（発熱面３０ａをワイピングする
ために上方へ移動する前の位置）で待機する。また、往復移動機構６４は下方へ移動し、
元の位置（発熱面３０ａを清掃するために上方へ移動する前の位置）で待機する。そして
、再度、図示しない昇降機構によって蒸気供給装置８１が発熱面３０ａに向かって上方に
移動する。そして、タンク８２からポンプ８６によって吸引された洗浄液Ｑを発熱体８４
によって気化させるとともに、気化させた洗浄液Ｑを発熱面３０ａに吹き付けることで、
発熱面３０ａを加湿させる。蒸気供給装置８１は、発熱面３０ａを加湿し終えると、下方
へ移動し、元の位置（発熱面３０ａを加湿するために上方へ移動する前の位置）で待機す
る。
【００５７】
そして、第３の実施形態と同様に、再度、図示しない昇降機構によって往復移動機構６
４を加熱ユニット１６に向かって上方に移動させ、第２ワイパ３９ｂを図示しない支持部
によって、第２ワイパ３９ｂの先端が加熱ユニット１６の下面（発熱面３０ａ）よりも高
さＨ分だけ高くなるように第２ワイパ３９ｂを上方へ移動させる。さらに、加熱ユニット
１６の下面（発熱面３０ａ）よりも高さＨ分だけ高く延在された第２ワイパ３９ｂのワイ
ピング部３９２（第１の実施形態と同一）と発熱面３０ａの他方の端Ｒとが当接する。す
ると、第２ワイパ３９ｂのワイパ部材３９ｃがキャリッジ６２の移動する力によってキャ
リッジ６２の移動方向とは逆の方向へ屈曲する。さらに、キャリッジ６２が発熱面３０ａ
と平行な方向へ移動するとともに、弾性力を持ったワイパ部材３９ｃがキャリッジ６２の
移動する方向へ戻ろうとする力が作用し、発熱面３０ａに対して適度な圧力を持って摺接
し、ワイピング部３９２によって発熱面３０ａの他方の端Ｒから一方の端Ｌまでワイピン
グされる。
【００５８】
本実施形態では、加熱ユニット１６が待機位置３３に待機しているときに、キャリッジ
６２が発熱面３０ａと平行な方向へ往復移動することで、発熱面３０ａを清掃ユニット８
０によって何度もワイピングするようになっている。
【００５９】
第４の実施形態では、第１の実施形態の（１）〜（４），第２の実施形態の（７）及び
第３の実施形態の（８）に対応する効果を得ることができる。
なお、上記実施形態は以下のように変更してもよい。
【００６０】
○  上記各実施形態において、第１ワイパ３９ａ及び第２ワイパ３９ｂに変えて、布を
巻いたローラで発熱面３０ａをワイピングしてもよい。
○  上記各実施形態において、第２ワイパ３９ｂを設けずに第１ワイパ３９ａのみ設け
る構成にしてもよい。
【００６１】
○  第１，第２実施形態において、加熱ユニット１６が印刷位置３２から待機位置３３
へ移動するときのみ第１ワイパ３９ａによって発熱面３０ａをワイピングする構成にして
もよい。
【００６２】
○  第２，第４実施形態において、発熱面３０ａと非接触式であり、気化させたもしく
は霧状にした洗浄液を供給する加湿手段としては、例えば、超音波式加湿器や霧吹きのよ
うな構成からなる加湿手段などを用いてもよい。
【００６３】
○  上記各実施形態において、ハロゲンヒータ２８に限らず、例えば、遠赤外線ヒータ
、カーボンヒータ等の非接触で用紙Ｐの記録面を加熱できる熱源にしてもよい。
○  本発明は、液体噴射装置を印刷に用いられるインクジェット式記録装置に具体化し
たが、この限りではなく、インク以外の他の液体を噴射する液体噴射装置に具体化するこ
ともできる。
【図面の簡単な説明】
【００６４】
【図１】インクジェット式プリンタの概略側面図。
【図２】（ａ）はヘッドユニットが印刷位置にある状態を示す平面図、（ｂ）はヘッドユニットが待機位置に待機している状態を示す平面図。
【図３】（ａ）は第１の実施形態における清掃ユニットを示す側断面図、（ｂ）は発熱面がワイパによってワイピングされている状態を示す側断面図。
【図４】（ａ）は第１の実施形態における清掃ユニットを示す側断面図、（ｂ）は発熱面がワイパによってワイピングされている状態を示す側断面図。
【図５】（ａ）は第２の実施形態における清掃ユニットを示す側断面図、（ｂ）は発熱面がワイパによってワイピングされている状態を示す側断面図。
【図６】（ａ）は第３の実施形態における清掃ユニットを示す側断面図、（ｂ）は発熱面がワイパによってワイピングされている状態を示す側断面図。
【図７】（ａ）は第４の実施形態における清掃ユニットを示す側断面図、（ｂ）は発熱面がワイパによってワイピングされている状態を示す側断面図。
【符号の説明】
【００６５】
１１…液体噴射装置としてのインクジェット式プリンタ、１６…加熱手段としての加熱
ユニット、２５…液体噴射ヘッドとしての記録ヘッド、３０ａ…発熱面、３２…印刷位置
（液体噴射位置）、３３…待機位置、３４…移動機構を構成するガイドレール、３５ａ…
移動機構を構成する従動プーリ、３５ｂ…移動機構を構成する駆動プーリ、３６…移動機
構を構成する駆動モータ、３７…移動機構を構成するチェーン、３８，５０，６０，８０
…清掃手段としての清掃ユニット、４１，６１…加湿手段としての加湿ユニット、４３…
加湿ローラ、５１，８１…加湿手段としての蒸気供給装置、５５，８４…発熱体、Ｐ…記
録媒体としての用紙、Ｑ…洗浄液。
【図１】
2009214423.tif 000003
【図２】
2009214423.tif 000004
【図３】
2009214423.tif 000005
【図４】
2009214423.tif 000006
【図５】
2009214423.tif 000007
【図６】
2009214423.tif 000008
【図７】
2009214423.tif 000009